(57)【要約】【課題】小型化しても電波の到達距離が従来と変わらない無線式の煙感知器を提供する。【解決手段】従来は煙感知器のプリント基板上に配置していたグランドとなる金属に加え、金属製の防虫網をアンテナのグランドと兼用させることで、グランドの表面積を稼ぐようにしたので、プリント基板上に配置していたグランドが小さくなってもグランドの総表面積が維持される。そうすることでプリント基板を小さくしても、電波の到達距離を維持することができるため、煙感知器本体を小型化することができる。【選択図】図１
2014170274.tif 000002
【特許請求の範囲】
【請求項１】
検煙部と、
前記検煙部の周囲に立設するラビリンス壁と、
前記検煙部に虫等が侵入しないように前記ラビリンス壁の外周を覆う防虫網と、
前記検煙部の出力信号に基づいて火災を判断する火災判別部と、前記火災判別部が火災と判断すると火災信号をアンテナを介して無線送信する制御部と、
を備えた煙感知器において、
前記防虫網が前記アンテナのグランドを兼用していることを特徴とする煙感知器。
【請求項２】
前記火災判別部と前記制御部に電気的に接続された基板を備え、
前記基板は、前記アンテナのグランドを備え、
前記防虫網が、前記基板の前記グランドに電気的に接続するための取付部を備えていることを特徴とする請求項１に記載の煙感知器。
【請求項３】
前記検煙部を構成する光学台が前記取付部を貫通させるグランド貫通部を備えていることを特徴とする請求項２に記載の煙感知器。
【請求項４】
前記検煙部を構成する光学台が前記防虫網と前記基板の前記グランドを電気的に接続させる接点を備えていることを特徴とする請求項１に記載の煙感知器。
【発明の詳細な説明】
【技術分野】
【０００１】
本発明は、火災を検出すると火災信号を無線送信する煙感知器に関するものである。
【背景技術】
【０００２】
火災感知器には、火災を検出すると、自身で警報を鳴動させる住宅用火災警報器や火災報知設備の感知器として火災信号を受信機に送信するものなどがある。近年では、これら火災感知器に無線通信機能を持たせて、火災信号等を無線で送受信する住宅用火災警報器や火災報知設備の感知器が商品化されている。
【先行技術文献】
【特許文献】
【０００３】
【特許文献１】特開２０１０−２７１８９４号公報
【０００４】
特許文献１に記載されているとおり、火災感知器は室内の美観を損なうため、小型化を指向する傾向がある。
【０００５】
火災感知器を小型化する場合、それにともなって内蔵する基板も小さくなる傾向がある。しかし、無線通信機能がついた火災感知器の場合、基板がアンテナのグランドを兼用している場合が多く、アンテナのグランドは表面積が小さくなると電波の到達距離が短くなるという問題点があった。
【発明の概要】
【発明が解決しようとする課題】
【０００６】
本発明は、火災感知器のうち、検煙部に虫等が侵入しないように煙流入部に防虫網を備えている煙感知器の防虫網をアンテナのグランドと兼用させることで、グランドの表面積を維持しつつ、基板を小さくしても電波の到達距離が従来と変わらず、従って、無線通信の能力を維持したまま小型化した火災感知器を提供することを目的とする。
【課題を解決するための手段】
【０００７】
本発明に係る煙感知器は、検煙部と、前記検煙部の周囲に立設するラビリンス壁と、前記検煙部に虫等が侵入しないように前記ラビリンス壁の外周を覆う防虫網と、前記検煙部の出力信号に基づいて火災を判断する火災判別部と、前記火災判別部が火災と判断すると火災信号をアンテナを介して無線送信する制御部と、を備えた煙感知器において、前記防虫網が前記アンテナのグランドを兼用していることを特徴とするものである。
【０００８】
また、前記火災判別部と前記制御部に電気的に接続された基板を備え、前記基板は、前記アンテナのグランドを備え、前記防虫網が、前記基板の前記グランドに電気的に接続するための取付部を備えていることを特徴とするものである。
【発明の効果】
【０００９】
本発明によれば、煙感知器の防虫網をアンテナのグランドと兼用しているので、基板が小さくなってもグランドの表面積を維持できるため、無線の電波の到達距離を維持したまま、煙感知器を小型化することができる。
【００１０】
また、本発明によれば、煙感知器の防虫網をアンテナのグランドと兼用しているので、光学台に帯電した静電気が放電しやすくなるため、静電気によって検煙部に付着していたホコリの量を軽減することができる。
【図面の簡単な説明】
【００１１】
【図１】本発明の実施の形態１に係る煙感知器の説明図である。
【図２】図１におけるＡ−Ａ断面図である。
【図３】図２におけるＢ−Ｂ断面図である。
【図４】図３におけるＣ部拡大図である。
【図５】本発明の実施の形態１に係る防虫網の説明図である。
【発明を実施するための形態】
【００１２】
＜実施の形態１＞
以下、本実施の形態１では、電池で駆動される煙式の火災警報器に本発明を適用した場合を例に説明する。なお、火災警報器１は、天井面の図示しない取付ベースに、火災警報器１の本体ベース２を係合することにより取り付けられ、以降本体ベース２側が上部、カバー３側が下部となった状態における位置関係で説明する。
図１乃至図４は、本発明の火災警報器の実施の形態１に係る火災警報器１を示す図である。
図１に示すとおり、本実施の形態１において、火災警報器１は、本体を構成する本体ベース２と、本体ベース２の下部に結合されたカバー３により構成される筐体を備え、その内部には各種電子部品が実装されたプリント基板４や電池９等が配置されている。本体ベース２とカバー３は樹脂材により成形されている。
【００１３】
筐体の内部には、火災に基づく煙を検出するための暗箱５が設けられている。この暗箱５は、光学台５１と光学台カバー５３とから構成され、内部には後述する検煙部５５を備えている。検煙部５５の周囲にはラビリンス壁５２が円筒状に立設される。隣接するラビリンス壁５２の間には煙流入部５６が形成されており、煙は煙流入部５６を通って検煙部５５に流入するが、外光はラビリンス壁５２に阻まれて入射しない構造となっている。ラビリンス壁５２の下部には光学台カバー５３が取り付けられている。ラビリンス壁５２の外周には、検煙部５５に虫等が侵入しないように防虫網１０が設けられている。検煙部５５は、光学台５１に設けられた発光素子６及び受光素子７を備えている。発光素子６と受光素子７は、発光素子６の発する光が、通常は受光素子７に入射しないように配置され、検煙部５５に煙が流入すると発光素子６の発する光が煙によって散乱し、受光素子７に入射することで煙を検出している。
【００１４】
光学台５１は、上部に設けられたプリント基板４と電気的に接続され、また、プリント基板４は、図示しない制御部及び火災判別部を備えており、これらが火災警報器として動作するように、プリント基板４には配線用のパターンが形成されている。プリント基板４は、本体ベース２の上部側に設置された電池９と電気的に接続されており、火災警報器１は、電池９を電源として動作している。また、プリント基板４には無線通信用のアンテナ１２が備えられている。火災警報器１は、アンテナ１２を介して周辺に設置された他の火災警報器１と無線信号により相互の状態を確認している。
制御部は、発光素子６を発光させたり、後述するスピーカ１１に警報音を鳴動させたりしている。また、制御部は、アンテナ１２を介して無線信号を送受信する。火災判別部は、受光素子７が受光したことに基づいて火災を判別し、火災と判断した場合は制御部に信号を送信する。
なお、光学台を導電性素材で成型した場合には、帯電防止効果がより高くなる。
【００１５】
プリント基板４には火災警報器を動作させるための配線用のパターンと共に、アンテナ１２のグランドとなる金属が配置されている。
【００１６】
防虫網１０は、図５のような網部１０４を有する金属製の板材からなり、図１のように筒状にして両端の係止部１０１、１０１を係合固定し、ラビリンス壁５２の外周を覆うように被せられる。このとき、防虫網１０は、防虫網１０とアンテナ１２のグランドとを兼用している。取付部１０２は、光学台５１の外周側に設けられたグランド貫通部５４を介してプリント基板４に配置されたグランド上の所定の位置に半田付けされる。こうすることでプリント基板４上に配置されたグランドに加え、防虫網１０全体が、アンテナのグランドとして機能するため、アンテナのグランドの表面積を大きく取ることができ、プリント基板４が小さくなり、プリント基板４上に配置されたグランドの表面積が小さくなっても、電波の到達距離を維持することができる。
【００１７】
カバー３は、円盤状の保護板３１と、放射状に形成されて保護板３１を支える支柱３２と、支柱３２の間に形成された通気路３３と、音響孔３４と、ボタン穴３５とを備える。保護板３１は、皿形のカバー３の底部に設けられて、暗箱５の外部を覆って外力等から保護する。通気路３３は、外気と暗箱５とをつなぐ空気の通路である。ボタン穴３５は、後述する点検スイッチボタン８を、カバー３の底面側に露出させるための穴である。
【００１８】
音響孔３４は、図１に示すスピーカ１１に対応した位置に設けられ、カバー３の内側に通じる多数の小孔によって構成されている。筐体内のスピーカ１１にて発せられた警報は、音響孔３４を介して筐体外部に放出される。
【００１９】
点検スイッチボタン８は、火災警報器１の機能を確認する点検機構を動作させるためのものであり、居住者等のユーザによる押下操作を受け付ける。
【００２０】
次に、本実施の形態１の動作について説明する。なお、以下の説明では、住戸内に複数の火災警報器１が設置されている場合に、火災が発生した際の無線連動動作について説明する。
「火災を感知した火災警報器１の動作」
火災により煙粒子が発生すると、煙粒子は天井面に向かって上昇するとともに、天井面に沿って流れる。天井面に沿って流れた煙は、天井面に設置された火災警報器１の通気路３３、防虫網１０及び煙流入部５６を通過して検煙部５５に流入する。
【００２１】
検煙部５５に流入した煙粒子は、発光素子６の発する光と衝突し、散乱光を発生させる。散乱光が受光素子７に受光されると、受光素子７は、火災判別部に出力信号を送出する。受光素子７からの出力信号を受信した火災判別部は、火災を判別する。火災判別部は、火災と判断すると、制御部に信号を送信し、この信号を受信した制御部は、自身のスピーカ１１から警報を発するとともに、火災信号をアンテナ１２より無線送信する。
【００２２】
「他の火災警報器１が無線送信した火災信号を受信した火災警報器１の動作」
他の火災警報器１が火災を感知し、警報を発するとともに、火災信号を無線送信すると、アンテナ１２を介してこの火災信号を受信した火災警報器１は、自身のスピーカ１１から警報を発する。このときの警報は、自身が火災を感知した場合と同じ警報音でもよいし、異なる警報音としてもよい。また、他の火災警報器１が無線送信した火災信号を受信した火災警報器１は、さらに火災信号を無線送信してもよい。
【００２３】
なお、本実施の形態１の防虫網１０は、全体を金属材料によって構成しているが、これに限定されるものではなく、一部が金属材料である構成でもよく、その場合、金属材料で構成された部品がプリント基板４と電気的に接続されていればよい。
また、防虫網１０は、係止部１０１、１０１によって筒状に係合固定しているが、これに限定されるものではなく、光学台５１に防虫網１０を筒状に固定する固定部を設けて、これによって固定してもよい。
【００２４】
以上のように実施の形態１では、防虫網に取付部１０２を設けてプリント基板４に配置したグランド上に半田付けする構成となっているが、これに限定されるものではなく、例えば、プリント基板４に配置したグランド上に取付部を固定するための固定具を備えてもよい。
また、例えば、光学台５１に防虫網１０を接続する接点と、プリント基板４に配置したグランドと接続する接点を備え、両接点が電気的に接続されており、光学台５１に防虫網１０とプリント基板４を接続することで防虫網１０とプリント基板４に配置したグランドが電気的に接続される構成としてもよい。このとき、光学台５１に設けられた受光素子７を覆う図示しないシールドケースは、通常グランドと接続されているので、防虫網１０をシールドケースに接続されるようにしてもよい。
【符号の説明】
【００２５】
１  火災警報器、２  本体ベース、３  カバー、４  プリント基板、５  暗箱、６  発光素子、７  受光素子、８  点検スイッチボタン、９  電池、１０  防虫網、１１  スピーカ、１２  アンテナ、３４  音響孔、５１  光学台、５２  ラビリンス壁、５３  光学台カバー、５４  グランド貫通部、５５  検煙部、５６  煙流入部、１０１  係止部、１０２  取付部、１０４  網部
【図１】
2014170274.tif 000003
【図２】
2014170274.tif 000004
【図３】
2014170274.tif 000005
【図４】
2014170274.tif 000006
【図５】
2014170274.tif 000007